(57)【要約】【課題】  本発明は、放送受信装置、放送信号に関する関連情報提供方法及びサーバーに関する。【解決手段】  本発明によるネットワークを通じて所定のサーバーにアクセスできる放送受信装置は、放送プログラムを含む放送信号を受信する第１受信部と；前記放送プログラムに対応する関連情報を提供するための条件で前記関連情報を供給するソースを知らせる関連情報ソース情報を含む条件情報を受信する第２受信部と；前記関連情報ソース情報を利用して前記関連情報を受信し、前記条件情報に基づいて前記受信された関連情報を表示する関連情報提供部と；を含む。これによって、リアルタイムで放送信号に対応する関連情報を表示できる放送受信装置、放送信号に関する関連情報提供方法が提供される。【選択図】      図１
2013038773.tif 000002
【特許請求の範囲】
【請求項１】
ネットワークを通じて所定のサーバーにアクセスできる放送受信装置において、
放送プログラムを含む放送信号を受信する第１受信部と；
前記放送プログラムに対応する関連情報を提供するための条件を知らせる条件情報として、前記関連情報を供給するソースを知らせる関連情報ソース情報を含む条件情報を受信し、前記関連情報ソース情報を利用して前記関連情報を受信する第２受信部と；
前記放送プログラムと、前記受信された関連情報を表示する関連情報提供部と；
を含むことを特徴とする放送受信装置。
【請求項２】
前記関連情報提供部は、前記関連情報ソース情報を利用して複数の関連情報提供サーバーの中で少なくとも一つから前記関連情報が提供されることを特徴とする請求項１に記載の放送受信装置。
【請求項３】
前記関連情報ソース情報は、少なくとも一つの関連情報提供サーバーに関するサーバーアドレスを含み、
前記関連情報提供部は、前記サーバーアドレスに対応する関連情報提供サーバーから前記第２受信部を通じて前記関連情報が提供されることを特徴とする請求項１に記載の放送受信装置。
【請求項４】
前記第２受信部は、前記条件情報を条件情報提供サーバーから受信し、
前記条件情報は、前記関連情報提供サーバーから前記条件情報提供サーバーに提供されることを特徴とする請求項３に記載の放送受信装置。
【請求項５】
前記条件情報は、放送プログラム識別情報をさらに含み、
前記放送プログラム識別情報を利用して現在表示されている放送プログラムに対応する関連情報を表示するための条件を前記条件情報から抽出する制御部をさらに含むことを特徴とする請求項１に記載の放送受信装置。
【請求項６】
前記制御部は、受信される放送信号からプログラムＩＤ又はチャンネルＩＤを把握し、把握されたプログラムＩＤ又はチャンネルＩＤと前記放送プログラム識別情報を比較して現在表示されている放送プログラムに対応する前記関連情報ソース情報を抽出することを特徴とする請求項５に記載の放送受信装置。
【請求項７】
現在表示されている放送プログラムのフィンガープリントを生成し、
生成された前記フィンガープリントを前記放送プログラムを含む放送信号を予め受信して前記放送信号に対応するフィンガープリントを保存しているサーバーに送信し、
前記サーバーから送信された前記フィンガープリントに対応するプログラムＩＤ又はチャンネルＩＤを受信するように制御する制御部をさらに含むことを特徴とする請求項１に記載の放送受信装置。
【請求項８】
前記条件情報は、放送プログラム識別情報をさらに含み、
前記制御部は、受信された前記プログラムＩＤ又は前記チャンネルＩＤと前記放送プログラム識別情報を比較して、現在表示されている放送プログラムに対応する前記関連情報ソース情報を抽出することを特徴とする請求項７に記載の放送受信装置。
【請求項９】
前記関連情報提供部は、少なくとも二つのアプリケーションプログラムを含み、
前記条件情報は、前記少なくとも二つのアプリケーションプログラムの中でいずれか一つを選択するアプリケーションＩＤを含み、
前記関連情報は、前記アプリケーションＩＤに従って選択されたアプリケーションプログラムによって提供されることを特徴とする請求項１に記載の放送受信装置。
【請求項１０】
前記関連情報提供部は、現在受信されている放送信号のチャンネルが変更されれば、前記関連情報の提供を中断することを特徴とする請求項１に記載の放送受信装置。
【請求項１１】
放送信号に関する関連情報を提供する関連情報提供方法において、
放送プログラムを含む放送信号を受信する段階と；
前記放送プログラムに対応する関連情報を提供するための条件で前記関連情報を供給するソースを知らせる関連情報ソース情報を受信する段階と；
前記関連情報ソース情報を利用して前記関連情報を受信する段階と；
前記放送プログラムと、前記受信された関連情報を表示する段階と；
を含むことを特徴とする関連情報提供方法。
【請求項１２】
前記条件情報は、放送プログラム識別情報をさらに含み、
前記放送プログラム識別情報を利用して現在表示されている放送プログラムに対応する関連情報を表示するための条件を前記条件情報から抽出する段階をさらに含むことを特徴とする請求項１１に記載の関連情報提供方法。
【請求項１３】
放送信号からプログラムＩＤ又はチャンネルＩＤを把握する段階と；
把握されたプログラムＩＤ又はチャンネルＩＤと前記放送プログラム識別情報を比較して現在表示されている放送プログラムに対応する前記関連情報ソース情報を抽出する段階と；
をさらに含むことを特徴とする請求項１２に記載の関連情報提供方法。
【請求項１４】
現在表示されている放送プログラムのフィンガープリントを生成する段階；
生成された前記フィンガープリントを前記放送プログラムを含む放送信号を予め受信して、前記放送信号に対応するフィンガープリントを保存しているサーバーに送信する段階と；
前記サーバーから送信された前記フィンガープリントに対応するプログラムＩＤ又はチャンネルＩＤを受信する段階と；
をさらに含むことを特徴とする請求項１１に記載の関連情報提供方法。
【請求項１５】
前記条件情報は、放送プログラム識別情報をさらに含み、
受信された前記プログラムＩＤ又は前記チャンネルＩＤと前記放送プログラム識別情報を比較して、現在表示されている放送プログラムに対応する前記関連情報ソース情報を抽出する段階をさらに含むことを特徴とする請求項１４に記載の関連情報提供方法。
【請求項１６】
ネットワークを通じて所定のサーバーにアクセスできる放送受信装置において、
放送プログラムを含む放送信号を受信する第１受信部と；
前記放送プログラムに対応する関連情報を提供するための条件で前記関連情報を供給するソースを知らせる関連情報ソース情報を含む条件情報を受信し、前記関連情報ソース情報を利用して前記関連情報を受信する第２受信部と；
前記放送プログラムと、前記受信された関連情報を表示する関連情報提供部と；
現在受信される放送プログラムに対応する放送プログラム識別情報を外部の条件情報提供サーバーに送信し、前記条件情報提供サーバーから前記条件情報を受信するように前記第２受信部を制御する制御部と；
を含むことを特徴とする放送受信装置。
【請求項１７】
放送信号に関する関連情報を提供する関連情報提供方法において
放送プログラムを含む放送信号を受信する段階と；
現在受信される放送プログラムに対応する放送プログラム識別情報を外部の条件情報提供サーバーに送信する段階と；
前記条件情報提供サーバーから前記放送プログラムに対応する関連情報を提供するための条件で前記関連情報を供給するソースを知らせる関連情報ソース情報を含む条件情報を受信する段階と；
前記関連情報ソース情報を利用して前記関連情報を受信する段階と；
前記受信された関連情報を表示する段階と；
を含むことを特徴とする関連情報提供方法。
【請求項１８】
条件情報提供サーバーにおいて、
コンテンツ提供者によって登録された放送プログラムに対応する条件情報を保存している保存部と；
放送受信装置の要請に従って前記条件情報を前記放送受信装置に提供する制御部と；
を含むことを特徴とするサーバー。
【請求項１９】
前記制御部は、前記放送プログラムを含む放送信号を受信して前記放送信号に対応するフィンガープリントを生成し、前記放送受信装置から送信されたフィンガープリントとマッチングされるフィンガープリントに対応する放送プログラムに対する識別情報を前記放送受信装置に送信するように制御することを特徴とする請求項１８に記載のサーバー。
【請求項２０】
サーバーにおいて、
放送プログラムを含む放送信号を受信して、前記放送信号に対応するフィンガープリントを生成するフィンガープリント生成部と；
放送受信装置から送信されたフィンガープリントとマッチングされるフィンガープリントに対応する放送プログラムに対する識別情報を前記放送受信装置に送信するように制御する制御部と；
を含むことを特徴とするサーバー。
【請求項２１】
前記関連情報提供部は、前記条件情報に基づいて前記受信された関連情報を表示することを特徴とする請求項１に記載の放送受信装置。
【請求項２２】
前記表示する段階は、前記条件情報に基づいて前記受信された関連情報を表示する段階を含むことを特徴とする請求項１２に記載の関連情報提供方法。
【発明の詳細な説明】
【技術分野】
【０００１】
本発明は、放送受信装置、放送信号に関する関連情報受信方法及びサーバーに関する。
【背景技術】
【０００２】
メディアコンテンツは、地上波放送、衛星放送、ケーブル放送、インターネット放送、デジタルマルチメディア放送（Ｄｉｇｉｔａｌ  Ｍｕｌｔｉｍｅｄｉａ  Ｂｒｏａｄｃａｓｔｉｎｇ）、ブルーレイ（Ｂｌｕ−ｒａｙ）、ＤＶＤのような保存媒体などのメディアに基づいて提供される情報である。メディアコンテンツは、オーディオ及び/又はビデオ（又はイメージ）及び/又はテキストフォーマットで表現され、放送コンテンツ又はマルチメディアコンテンツで言及されることができる。
【０００３】
このようなメディアコンテンツの中で放送コンテツが一番広く普及されているので、コンテンツ案内情報、場所情報、物の情報、俳優情報、アーティスト情報、バナー広告情報、広告主情報、メディアコンテンツ購買情報及びイベント情報などのように放送コンテンツに対応する関連情報をユーザにリアルタイムで提供することがとても大切なサービスとして浮かび上がっている。
【０００４】
放送コンテンツを再生できるデバイスが関連情報を提供する機能を持っていない場合もあるので、このような場合、ユーザはインターネットアクセスが可能なデバイスを利用してユーザが知っている放送コンテンツに関する情報基盤のインターネット検索を通じて前記関連情報を得る。
【０００５】
ユーザは現在再生されている放送コンテンツに同期化された関連情報をリアルタイムで得るにくく、ユーザが知っている情報に基づいてインターネット検索が行なわれるので得られるメディアコンテンツ関連情報が制限的だという問題がある。
【発明の概要】
【発明が解決しようとする課題】
【０００６】
従って、本発明は、現在再生されている放送コンテンツに同期化された関連情報をリアルタイムで提供できる放送受信装置、放送信号に関する関連情報提供方法を提供することである。
【課題を解決するための手段】
【０００７】
本発明の一実施形態によるネットワークを通じて所定のサーバーにアクセスできる放送受信装置は、放送プログラムを含む放送信号を受信する第１受信部と；前記放送プログラムに対応する関連情報を提供するための条件を知らせる条件情報として、前記関連情報を供給するソースを知らせる関連情報ソース情報を含む条件情報を受信する第２受信部と；前記関連情報ソース情報を利用して前記関連情報を受信し、前記条件情報に基づいて前記受信された関連情報を表示する関連情報提供部と；を含む。
【０００８】
前記関連情報提供部は、前記関連情報ソース情報を利用して複数の関連情報提供サーバーの中で少なくとも一つから前記関連情報が提供されることができる。
【０００９】
前記関連情報ソース情報は、少なくとも一つの関連情報提供サーバーに関するサーバーアドレスを含み、前記関連情報提供部は、前記サーバーアドレスに対応する関連情報提供サーバーから前記第２受信部を通じて前記関連情報が提供されることもできる。
【００１０】
前記第２受信部は、前記条件情報を条件情報提供サーバーから受信し、前記条件情報は、前記関連情報提供サーバーから前記条件情報提供サーバーに提供される。
【００１１】
前記条件情報は、放送プログラム識別情報をさらに含み、前記放送プログラム識別情報を利用して現在表示されている放送プログラムに対応する関連情報を表示するための条件を前記条件情報から抽出する制御部をさらに含むことができる。
【００１２】
前記制御部は、受信される放送信号からプログラムＩＤ又はチャンネルＩＤを把握し、把握されたプログラムＩＤ又はチャンネルＩＤと前記放送プログラム識別情報を比較して現在表示されている放送プログラムに対応する前記関連情報ソース情報を抽出することもできる。
【００１３】
また他の実施形態によれば、放送受信装置は現在表示されている放送プログラムのフィンガープリントを生成し、生成された前記フィンガープリントを前記放送プログラムを含む放送信号を予め受信して前記放送信号に対応するフィンガープリントを保存しているサーバーに送信し、前記サーバーから送信された前記フィンガープリントに対応するプログラムＩＤ又はチャンネルＩＤを受信する制御部をさらに含むことができる。
【００１４】
この時、前記条件情報は、放送プログラム識別情報をさらに含み、前記制御部は、受信された前記プログラムＩＤ又は前記チャンネルＩＤと前記放送プログラム識別情報を比較して、現在表示されている放送プログラムに対応する前記関連情報ソース情報を抽出することができる。
【００１５】
前記関連情報提供部は、少なくとも二つのアプリケーションプログラムを含み、前記条件情報は、前記少なくとも二つのアプリケーションプログラムの中でいずれか一つを選択するアプリケーションＩＤを含み、前記関連情報は、前記アプリケーションＩＤに従って選択されたアプリケーションプログラムによって提供されることができる。
【００１６】
前記関連情報提供部は、現在受信されている放送信号のチャンネルが変更されれば、前記関連情報の提供を中断することができる。一方、本発明の他の実施形態による放送信号に関する関連情報を提供する関連情報提供方法は、放送プログラムを含む放送信号を受信する段階と；前記放送プログラムに対応する関連情報を提供するための条件で前記関連情報を供給するソースを知らせる関連情報ソース情報を受信する段階と；前記関連情報ソース情報を利用して前記関連情報を受信する段階と；前記条件情報に基づいて前記受信された関連情報を表示する段階と；を含む。
【００１７】
一方、本発明の他の実施形態によるネットワークを通じて所定のサーバーにアクセスできる放送受信装置は、放送プログラムを含む放送信号を受信する第１受信部と；前記放送プログラムに対応する関連情報を提供するための条件で前記関連情報を供給するソースを知らせる関連情報ソース情報を含む条件情報を受信する第２受信部と；前記関連情報ソース情報を利用して前記関連情報を受信し、前記条件情報に基づいて前記受信された関連情報を表示する関連情報提供部と；現在受信される放送プログラムに対応する放送プログラム識別情報を外部の条件情報提供サーバーに送信し、前記条件情報提供サーバーから前記条件情報を受信し、前記条件情報を前記関連情報提供部に提供する制御部と；を含むことができる。
【００１８】
一方、本発明のまた他の実施形態による放送信号に関する関連情報を提供する関連情報提供方法は、放送プログラムを含む放送信号を受信する段階と；現在受信される放送プログラムに対応する放送プログラム識別情報を外部の条件情報提供サーバーに送信する段階と；前記条件情報提供サーバーから前記放送プログラムに対応する関連情報を提供するための条件で前記関連情報を供給するソースを知らせる関連情報ソース情報を含む条件情報を受信する段階と；前記関連情報ソース情報を利用して前記関連情報を受信する段階と；前記受信された関連情報を表示する段階と；を含むことができる。
【００１９】
一方、本発明のまた他の実施形態による条件情報提供サーバーは、コンテンツ提供者によって登録された放送プログラムに対応する条件情報を保存している保存部と；放送受信装置の要請に従って前記条件情報を前記放送受信装置に提供する制御部と；を含むことができる。
【００２０】
前記制御部は、前記放送プログラムを含む放送信号を受信して前記放送信号に対応するフィンガープリントを生成し、前記放送受信装置から送信されたフィンガープリントとマッチングされるフィンガープリントに対応する放送プログラムに対する識別情報を前記放送受信装置に送信することもできる。
【００２１】
一方、本発明のまた他の実施形態によるサーバーは、放送プログラムを含む放送信号を受信して、前記放送信号に対応するフィンガープリントを生成するフィンガープリント生成部と；放送受信装置から送信されたフィンガープリントとマッチングされるフィンガープリントに対応する放送プログラムに対する識別情報を前記放送受信装置に送信する制御部と；を含むことができる。
【００２２】
本発明の一実施形態によれば、リアルタイムで放送信号に対応する関連情報を表示できる放送受信装置、放送信号に関する関連情報提供方法が提供される。
【００２３】
本発明の他の実施形態によれば、放送信号に関する関連情報を提供するためのアプリケーションプログラムが簡素化された放送受信装置、放送信号に関する関連情報提供方法が提供される。
【００２４】
本発明のまた他の実施形態によれば、放送信号から放送プログラムを識別できない場合にも放送信号に関する関連情報を提供できる放送受信装置、放送信号に関する関連情報提供方法が提供される。
【００２５】
本発明のまた他の実施形態によれば、関連情報を提供するための条件情報を提供する条件情報提供サーバーが提供される。本発明のまた他の実施形態によれば、フィンガープリントを利用して放送プログラムを識別できる識別情報を提供するサーバーが提供される。
【図面の簡単な説明】
【００２６】
【図１】本発明の一実施形態による放送受信装置を含むシステムを示す制御ブロック図である。
【図２】図１による放送受信装置に受信される条件情報を表示する図である。
【図３】図１による放送受信装置に表示される関連情報を表示する図である。
【図４】図１による放送受信装置によって関連情報を提供する方法を説明するための制御流れ図である。
【図５】本発明の他の実施形態による放送受信装置を含むシステムを示す制御ブロック図である。
【図６】図５による放送受信装置によって関連情報を提供する方法を説明するための制御流れ図である。
【図７】本発明のまた他の実施形態による放送受信装置を含むシステムを示す制御ブロック図である。
【図８】図７による放送受信装置によって関連情報を提供する方法を説明するための制御流れ図である。
【図９】本発明のまた他の実施形態による放送受信装置を含むシステムを示す制御ブロック図である。
【図１０】本発明のまた他の実施形態による放送受信装置を含むシステムを示す制御ブロック図である。
【図１１】図１０による放送受信装置によって関連情報を提供する方法を説明するための制御流れ図である。
【発明を実施するための形態】
【００２７】
以下、添付図面を参考して、本発明の実施形態に対して本発明が属する技術分野で通常の知識を有する者が容易に実施することができるように詳細に説明する。本発明は、多様な形態で具現されることができるし、ここで説明する実施形態に限定されない。本発明を明確に説明するために説明に係らない部分は省略し、明細書において、同一又は類似の構成要素に対しては同じ参照符号を付けるようにする。
【００２８】
図１は、本発明の一実施形態による放送受信装置を含むシステムを示す制御ブロック図である。図１に示すように、本実施形態による放送受信装置１００は、複数の関連情報提供サーバー２００及び条件情報提供サーバー３００と通信する。放送受信装置１００は、第１受信部１０及び第２受信部４０を含み、関連情報提供サーバー２００と条件情報提供サーバー３００は、第２受信部４０と通信しながら関連情報及び条件情報を放送受信装置１００に提供する。関連情報提供サーバー２００は、放送信号に含まれている放送プログラムに対応する関連情報を提供するサーバーに該当し、条件情報提供サーバー３００は、関連情報を提供するための条件である条件情報を放送受信装置１００に提供する。
【００２９】
関連情報は、放送プログラムに関する広告、放送プログラムに関する設問のためのＵＩ、放送プログラム案内情報、公演情報、放送プログラムが特定の地域放送である場合に該当地域に対応する便宜施設、交通情報、美味しい店情報などのような多様な地域情報であることもできるし、映画が放送される場合には映画のあらすじ又は俳優に対する情報を含むこともできるし、特定製品に対する使用情報などを含むことができる。従って、関連情報提供サーバー２００は、前記情報を提供できる放送局、広告業体、地方自治体、製品製造会社、映画会社などのサーバーを含むことができる。関連情報提供サーバー２００は、関連情報を供給する業者の独自のサーバーを含むことをできるし、前記企業等から関連情報を受信して放送受信装置１００に提供する中間サーバーであることもできる。関連情報提供サーバー２００は、図１に示すように複数であることもできるし、一つだけであることもできる。
【００３０】
条件情報提供サーバー３００は、関連情報提供サーバー２００から条件情報を受信してこれを放送受信装置１００に供給する。条件情報提供サーバー３００は、図面に示すように、関連情報提供サーバー２００のようなコンテンツ提供者によって登録された放送プログラムに対応する条件情報を保存している保存部３１０と、放送受信装置１００の要請に従って登録された条件情報を放送受信装置１００に提供する制御部３２０と、を含む。条件情報は、周期的に放送受信装置１００に供給されることもできるし、特定のイベントに対応して供給されることもできる。例えば、放送受信装置１００は、更新周期に対応する間隔で条件情報提供サーバー３００に接続することもできるし、放送信号のチャンネルが変更される時ごとに条件情報提供サーバー３００に接続して条件情報を受信することもできる。条件情報は、放送受信装置１００によって放送受信装置１００にダウンロードされることもできるが、条件情報提供サーバー３００によって放送受信装置１００に配布されることもできる。
【００３１】
放送受信装置１００は、第１受信部１０、信号処理部２０、ディスプレイ部３０、第２受信部４０及び関連情報提供部５０を含む。放送受信装置１００は、放送信号を受信して再生できるコンピュータ、モバイル機器、及び有無線ネットワークに連結することができるＴＶのようなデバイスでありうる。モバイル機器は、携帯電話、スマートフォン（ＳｍａｒｔＰｈｏｎｅ）、ｉＰｈｏｎｅ、ＰＤＡ（Ｐｅｒｓｏｎａｌ  Ｄｉｇｉｔａｌ  Ａｓｓｉｓｔａｎｔ）、ＰＭＰ（Ｐｏｒｔａｂｌｅ  Ｍｕｌｔｉ−ｍｅｄｉａ  Ｐｌａｙｅｒ）及びナビゲーション（Ｎａｖｉｇａｔｉｏｎ）デバイスのような携帯用機器でありうる。ＴＶは、モバイル機器に含まれることができるし、ＩＰＴＶ（Ｉｎｔｅｒｎｅｔ  Ｐｒｏｔｏｃｏｌ  ＴＶ）又はデジタルマルチメディア放送用端末機のようなデバイスでありうる。放送受信装置１００は、ユーザーデバイスと言及されることができる。放送受信装置１００は、図示しない保存部、ボタン、入力パッド又は遠隔制御装置のようなユーザ入力部などをさらに含むことができる。
【００３２】
第１受信部１０は、地上波放送、衛星放送、ケーブル放送、インターネット放送、デジタルマルチメディア放送のような放送サービスを通じて受信できる放送信号を受信する。放送信号は、音響信号及び映像信号のようなコンテンツと、コンテンツを説明するための各種のデータ及び付加信号を含むことができる。このようなコンテンツは、放送局又はコンテンツ提供業者によって提供される色々な放送プログラム及び各種の広告などを含むことができる。第１受信部１０は、前記のような放送信号を受信できるようにチャンネル
チューニング機能を有するチューナー、ネットワークインターフェース、セットアップボックス連結部、ケーブル連結部などを少なくとも一つ含むことができる。
【００３３】
信号処理部２０は、受信される放送信号を処理してディスプレイ部３０に表示されるようにする所定の映像処理を行なう。信号処理部２０は、図示しない映像処理部及び音響処理部を含むことができるし、これらを通じてディマルチプレッキシング、デコーディング、スケーリング、画質調整処理、画質改善処理などを行なう。
【００３４】
ディスプレイ部３０は、信号処理部２０で処理された放送信号と後述する関連情報提供部５０で提供される関連情報を表示する。ディスプレイ部３０は、液晶を含むＬＣＤパネル、有機発光素子を含むＯＬＥＤ（ｏｒｇａｎｉｃ  ｌｉｇｈｔ  ｅｍｉｔｔｉｎｇ  ｄｉｏｄｅ）パネル又はＰＤＰ（ｐｌａｓｍａ  ｄｉｓｐｌａｙ  ｐａｎｅｌ）、フレキシブルディスプレイ（Ｆｌｅｘｉｂｌｅ  ｄｉｓｐｌａｙ）、３次元ディスプレイ（３Ｄ  ｄｉｓｐｌａｙ）等を含むことができるし、前記パネルを駆動するパネル駆動部を含むことができる。
【００３５】
第２受信部４０は、インターネットのようなウェブネットワークを通じて各種の情報及びコンテンツを受信するインターフェースを意味し、本実施形態による第２受信部４０は、関連情報及び条件情報を受信する。本実施形態による第２受信部４０は、第１受信部１０で受信される放送信号以外の信号を受信する構成を機能的に説明するために一つのブロックで表示される。従って、第２受信部４０は、受信される情報の種類及びサーバーの特徴に従って複数で設けられることもできる。
【００３６】
条件情報は、放送プログラムに対応する関連情報を提供するための条件に対する情報を意味し、本実施形態による条件情報は、図２に示すように、放送信号を送出する放送局ＩＤ、実行条件、アプリケーションＩＤ、関連情報を供給するソースを知らせる関連情報ソース情報を含む。実行条件は、放送プログラムＩＤ、放送プログラムの放送時間、又は放送プログラムに対する特徴情報などを含むことができる。放送局ＩＤ、放送プログラムＩＤ、放送プログラムの放送時間、又は放送プログラムに対する特徴情報は放送プログラムを識別できる放送プログラム識別情報になることができる。アプリケーションＩＤは、関連情報を提供する複数のアプリケーションプログラムが存在する場合、いずれか一つを特定するための情報を意味する。関連情報ソース情報は、関連情報提供サーバー２００のサーバーアドレス、即ちＵＲＬ情報を含むことができる。
【００３７】
関連情報提供部５０は、第２受信部４０を通じて条件情報及び関連情報を受信し、受信した関連情報を処理してディスプレイ部３０に表示する。前述のように、条件情報は関連情報を提供するための条件である。関連情報提供部５０は、現在放送されている放送プログラムに対応する条件情報が存在するかを判断し、条件情報が存在する場合、関連情報ソース情報、即ちサーバーアドレスを利用して該当関連情報提供サーバー２００に接続し、接続された関連情報提供サーバー２００から関連情報を放送受信装置１００にダウンロードする。
【００３８】
放送受信装置１００に受信された関連情報は、図３に示すように、ディスプレイ部３０に表示される。関連情報は、放送プログラム画面の視聴を邪魔しないようにディスプレイ部３０の端に表示されることができる。図面に示すように、放送プログラムに対応する関連情報は、二つ以上が表示されることもできるし、一つだけ表示されることもできる。関連情報は、透明度を持って放送プログラム画面上にオーバーラップされることもできるし、ユーザの選択に従ってディスプレイ部３０に表示されないこともできる。この場合、関連情報提供部５０は、関連情報が受信されれば関連情報の表示可否を問うＵＩをユーザに提供することができるし、ユーザが表示を望む場合に関連情報窓に関連情報を表示することができる。
【００３９】
関連情報提供部５０は、関連情報提供サーバー２００に接続して関連情報をダウンロードして表示できるウィジェットのようなアプリケーションプログラムで具現されることもできるし、データなどを受信してＯＳＤのようなＧＵＩで生成するＧＵＩ生成部を含むこともできる。ウィジェットは、複数で設けられることもできる。関連情報提供部５０は、放送受信装置１００の製造段階で放送受信装置１００に設けられることもできるし、関連情報を提供する関連情報提供サーバー２００からダウンロードされることができる。
【００４０】
本実施形態による放送受信装置１００は、関連情報を提供するサーバーのサーバーアドレスを関連情報を受信するための条件情報と受信し、現在受信される放送プログラムと条件情報が対応する場合にサーバーアドレスでリアルタイムで接続して放送プログラムに関する関連情報を受信する。この場合、個別的な放送プログラムに対応する関連情報を提供するための個別的なアプリケーションプログラムが必要でなくてデータ保存空間が減少され、アプリケーションプログラム管理も簡素になる。
【００４１】
本実施形態のように関連情報は、外部からリアルタイムで受信されることもできるが、他の実施形態によれば放送受信装置１００内部に保存されていることもできる。関連情報が保存される場合、放送受信装置１００は、一定の周期に従って、又は特別なイベントに従って関連情報を受信して保存することができる。
【００４２】
図４は、図１による放送受信装置によって関連情報を提供する方法を説明するための制御流れ図である。図４に示すように本実施形態による関連情報提供方法を整理すれば次のようである。
【００４３】
まず、放送受信装置１００は、放送プログラムを含む放送信号を受信する（Ｓ１０）。そして、放送プログラムに対応する関連情報を提供するための条件で関連情報を供給するソースを知らせる関連情報ソース情報を受信する（Ｓ２０）。
【００４４】
放送信号と関連情報ソース情報の受信順序は、互いに変わることもできるし、同時に受信されることもできる。いかなる信号が先に受信されるのかどうかは重要でない。
【００４５】
関連情報提供部５０は、現在表示される放送プログラムと条件情報が対応されれば、関連情報ソース情報を利用して関連情報提供サーバー２００から関連情報を受信する（Ｓ３０）。
【００４６】
その後、関連情報提供部５０は、受信された関連情報を処理し条件情報に基づいてこれをディスプレイ部３０に示す（Ｓ４０）。関連情報提供部５０は、現在受信されている放送信号のチャンネルが変更されれば、表示している関連情報の提供を中断することができる。
【００４７】
図５は、本発明の他の実施形態による放送受信装置を含むシステムを示す制御ブロック図である。図面に示すように、本実施形態による放送受信装置１００は、条件情報に含まれている放送プログラム識別情報を利用して、現在表示されている放送プログラムに対応する関連情報を表示するための条件を抽出する制御部６０をさらに含む。また、関連情報提供部５０は、アプリケーションプログラム５１とこれを駆動するアプリケーションエンジン５２を含む。アプリケーションプログラム５１は、放送受信装置１００で設置されて行なわれ、多様なコンテンツを実行することができるように設置されたアプリケーションを意味する。アプリケーションプログラム５１は、サム  ネール（ｔｈｕｍｂ  ｎａｉｌ）又はアイコン形態でディスプレイ部３０にＧＵＩで表示されることができる。
【００４８】
制御部６０は、受信される放送信号からプログラムＩＤ又はチャンネルＩＤを把握し、把握されたプログラムＩＤ又はチャンネルＩＤと条件情報に含まれている放送プログラム識別情報を比較して、現在表示されている放送プログラムに対応する関連情報ソース情報を把握する。
【００４９】
制御部６０は、放送信号に含まれているメタ情報、付加情報又はＥＰＧ情報から現在受信されている放送プログラムに対するプログラムＩＤ又はチャンネルＩＤを把握することができる。条件情報は、複数の放送プログラムに対する情報を含むことができるし、制御部６０は、複数の条件情報の中で現在受信されている放送プログラムに対応する条件情報を抽出し、条件情報の中で把握されたプログラムＩＤ又はチャンネルＩＤに対応する関連情報ソース情報を抽出する。
【００５０】
制御部６０は、抽出された関連情報ソース情報を関連情報提供部５０のアプリケーションエンジン５２に提供する。アプリケーションエンジン５２は、アプリケーションプログラム５１がサーバーアドレスに接続して関連情報を受信できるようにアプリケーションプログラム５１を駆動する。
【００５１】
図６は、図５による放送受信装置によって関連情報を提供する方法を説明するための制御流れ図である。
【００５２】
制御部６０は、第１受信部１０を通じて放送信号を受信し、第２受信部４０を通じて関連情報提供サーバー２００のサーバーアドレスと放送プログラム識別情報を含む条件情報を受信する（Ｓ１１）。制御部６０は、放送信号からプログラムＩＤ又はチャンネルＩＤを把握する（Ｓ５０）。
【００５３】
リアルタイムでプログラムＩＤ又はチャンネルＩＤを把握した制御部６０は、プログラムＩＤ又はチャンネルＩＤと条件情報に含まれている放送プログラム識別情報を比較して、現在受信されて表示されている放送プログラムに対応する関連情報ソース情報を抽出する（Ｓ６０）。制御部６０は、抽出された関連情報提供サーバー２００のサーバー情報を関連情報提供部５０に提供する。
【００５４】
アプリケーションエンジン５２は、アプリケーションプログラム５１を駆動させて、関連情報提供サーバー２００に接続した後、該当関連情報をダウンロードする。このように放送受信装置１００に受信された関連情報は、アプリケーションプログラム５１によって処理されて、ディスプレイ部３０に表示される（Ｓ７０）。
【００５５】
図７は、本発明のまた他の実施形態による放送受信装置を含むシステムを示す制御ブロック図である。
【００５６】
本実施形態による制御部６０は、外部のサーバー４００と通信しながら、外部のサーバー４００から現在受信される放送信号に対するプログラムＩＤ又はチャンネルＩＤを獲得する。
【００５７】
サーバー４００は、放送プログラムを含む放送信号を受信して、放送信号に対応するフィンガープリントを生成するフィンガープリント生成部４１０と、放送受信装置１００から送信されたフィンガープリントとマッチングされるフィンガープリントに対応する放送プログラムに対する識別情報を放送受信装置１００に送信する制御部４２０と、を含む。サーバー４００は、放送受信装置１００に受信された放送信号より所定時間はやく放送信号を受信し、放送信号のフィンガープリントを生成する。フィンガープリントは、ビデオフレームを区別できるデータ値又は演算値を意味し、既存のよく知られたデジタル信号処理を使用して生成されることができる。例えば、フィンガープリント生成部４１０は、ＳＩＦＴ（Ｓｃａｌｅ  Ｉｎｖａｒｉａｎｔ  Ｆｅａｔｕｒｅ  Ｔｒａｎｓｆｏｒｍ）、ＳＵＲＦ（Ｓｐｐｅｄ  Ｕｐ  Ｒｏｂｕｓｔ  Ｆｅａｔｕｒｅ）、ＭＳＥＲ（Ｍａｘｉｍｕｍ  Ｓｔａｂｌｅ  Ｅｘｔｒｅａｍａｌ  Ｒｅｇｉｏｎｓ）のような特徴抽出アルゴリズムを利用して、ビデオフレームのデジタルフィンガープリントを生成することができる。
【００５８】
放送受信装置１００がセットアップボックスを通じて放送信号を受信する場合、放送信号を構成するサウンド信号及び映像信号は、放送受信装置１００に入力されて再生されるが、ＥＰＧ情報又は放送メタ情報のようなその他情報は、放送受信装置１００に受信されない可能性が存在する。セットアップボックスとディスプレイ装置１００とのデータ移動に対する標準が明確に決まらなくて、その他の情報の受信可否が保障されなければ放送受信装置１００は、その他の情報を利用できなく、現在受信されている放送プログラムを識別できない問題点が存在する。
【００５９】
この場合、制御部６０は、サーバー４００を通じて現在受信される放送信号に対する識別情報、即ちプログラムＩＤ又はチャンネルＩＤが提供されることができる。制御部６０は、現在表示されている放送プログラムのフィンガープリントを前述の方法等によって生成し、生成されたフィンガープリントを放送信号を予め受信して放送信号に対応するフィンガープリントを保存しているサーバー４００に送信する。サーバー４００は、送信された前記フィンガープリントに対応するプログラムＩＤ又はチャンネルＩＤを制御部６０に提供する。
【００６０】
制御部６０は、サーバー４００から提供されたプログラムＩＤ又はチャンネルＩＤと条件情報に含まれている放送プログラム識別情報を比較して、現在表示されている放送プログラムに対応する関連情報ソース情報を抽出する。従って、放送信号から放送プログラムを抽出できない放送受信装置１００でも放送プログラムに対応する関連情報をリアルタイムで表示することができる。
【００６１】
図８は、図７による放送受信装置によって関連情報を提供する方法を説明するための制御流れ図である。
【００６２】
まず、図６に示すように、制御部６０は、放送信号と関連情報提供サーバー２００のサーバーアドレスと放送プログラム識別情報を含む条件情報を受信する（Ｓ１３）。
【００６３】
制御部６０は、現在表示されている放送プログラムのフィンガープリントを生成し、生成されたフィンガープリントを放送プログラムを含む放送信号を予め受信して放送信号に対応するフィンガープリントを保存しているサーバー４００に送信する（Ｓ８０）。
【００６４】
その後、放送受信装置１００は、サーバー４００から送信したフィンガープリントに対応するプログラムＩＤ又はチャンネルＩＤを受信する（Ｓ９０）。
【００６５】
制御部６０は、また図６に示すように、プログラムＩＤ又はチャンネルＩＤと条件情報に含まれている放送プログラム識別情報を比較して、現在受信されて表示されている放送プログラムに対応する関連情報ソース情報を抽出する（Ｓ６０）。
【００６６】
その後、制御部６０は、抽出された関連情報提供サーバー２００から放送プログラムに対応する関連情報を受信してディスプレイ部３０に表示する（Ｓ７０）。
【００６７】
他の実施形態によれば、放送受信装置１００は、プログラムＩＤ又はチャンネルＩＤのような放送信号識別情報をサーバー４００でない条件情報提供サーバー３００から獲得することもできる。この場合、条件情報提供サーバー３００は、放送信号を予め受信してフィンガープリントを生成するフィンガープリント生成部をさらに含むこともできる。即ち、条件情報と放送信号識別情報を提供するサーバーは、一つで設けることができる。
【００６８】
図９は、本発明のまた他の実施形態による放送受信装置を含むシステムを示す制御ブロック図である。図面に示すように、本発明による関連情報提供部５０は、複数のアプリケーションプログラム５１を含む。アプリケーションエンジン５２は、関連情報を受信及び提供するように複数のアプリケーションプログラム５１の中でいずれか一つを制御する。放送受信装置１００が複数のアプリケーションプログラム５１を含む場合、放送受信装置１００に受信される条件情報は、少なくとも二つのアプリケーションプログラムの中でいずれか一つを選択するアプリケーションＩＤを含むことができる。前述の実施形態のように、放送受信装置１００が一つのアプリケーションプログラムを含む場合、アプリケーションＩＤはデフォルトと設定されたり設定されないことができる。しかし、アプリケーションプログラムが複数ならば、放送受信装置１００は、いかなるアプリケーションプログラムを利用して関連情報を提供するのか選択しなければならなく、アプリケーションエンジン５２は、アプリケーションＩＤに従って選択されたアプリケーションプログラム５１を制御して関連情報を提供する。即ち、アプリケーションエンジン５２は、アプリケーションＩＤに従って選択されたアプリケーションプログラム５１に関連情報提供サーバー２００のサーバーアドレスを知らせる。
【００６９】
図１０は、本発明のまた他の実施形態による放送受信装置を含むシステムを示す制御ブロック図である。図面に示すように、制御部６０は、現在受信される放送プログラムに対応する放送プログラム識別情報を条件情報提供サーバー３００に送信する。即ち、本実施形態による放送受信装置１００は、条件情報を獲得するために現在受信されたプログラムＩＤ又はチャンネルＩＤのような放送プログラム識別情報を条件情報提供サーバー３００に送信し、条件情報提供サーバー３００から放送プログラム識別情報に対応する条件情報を受信する。
【００７０】
前述のように、関連情報提供サーバー２００は、条件情報提供サーバー３００に条件情報を登録し、このような条件情報には関連情報をいかなる放送プログラムに対応して提供するかに対する色々な情報が含まれている。条件情報提供サーバー３００は、放送受信装置１００から放送プログラム識別情報を受信すれば、放送プログラム識別情報に対応する条件情報だけ選択して放送受信装置１００に提供することができる。この場合、条件情報は、放送局ＩＤ、プログラムＩＤのような放送プログラム識別情報は除外され、アプリケーションプログラムを選択するためのアプリケーションＩＤと関連情報提供サーバー２００のソース情報だけを含むことができる。
【００７１】
条件情報を受信した放送受信装置１００は、前述の実施形態のように、関連情報提供サーバー２００から関連情報を受信してディスプレイ部３０に表示する。
【００７２】
制御部６０は、図５に示すように、放送信号からプログラムＩＤ又はチャンネルＩＤを把握することもできるし、図７に示すように、フィンガープリント及びこれを保存しているサーバー４００を利用してプログラムＩＤ又はチャンネルＩＤを獲得することもできる。
【００７３】
図１１は図１０による放送受信装置によって関連情報を提供する方法を説明するための制御流れ図である。図１１を利用して本実施形態による放送受信装置１００の関連情報提供方法を整理すれば次の通りである。
【００７４】
まず、放送プログラムを含む放送信号を受信する（Ｓ１０）。
【００７５】
その後、現在受信される放送プログラムに対応する放送プログラム識別情報を条件情報提供サーバー３００に送信する（Ｓ１００）。制御部６０は、放送信号からプログラムＩＤ又はチャンネルＩＤを把握することもできるし、サーバー４００の助けを受けてプログラムＩＤ又はチャンネルＩＤを獲得することもできる。
【００７６】
制御部６０はその後、放送プログラムに対応する関連情報を供給する関連情報提供サーバー２００のソースを知らせる関連情報ソース情報を含む条件情報を条件情報提供サーバー３００から受信する（Ｓ１１０）。
【００７７】
制御部６０は、関連情報ソース情報を利用して関連情報を受信するように第２受信部４０及び関連情報提供部５０を制御し、関連情報提供部５０は受信された関連情報を処理してディスプレイ部３０に表示する（Ｓ７０）。
【００７８】
以上、多様な実施形態を通じて本発明に対して図示し説明したが、本発明はこれに限定されず、本発明の属する技術分野の通常の知識を有する人なら本発明の原則や精神に外れなく本発明の一実施形態を変形し得ることを分かることができる。発明の範囲は、特許請求の範囲とその均等物によって定まれる。
【符号の説明】
【００７９】
１０    第１受信部
２０    信号処理部
３０    ディスプレイ部
４０    第２受信部
５０    関連情報提供部
６０    制御部
１００  放送受信装置
２００  関連情報提供サーバー
３００  条件情報提供サーバー
【図１】
2013038773.tif 000003
【図２】
2013038773.tif 000004
【図３】
2013038773.tif 000005
【図４】
2013038773.tif 000006
【図５】
2013038773.tif 000007
【図６】
2013038773.tif 000008
【図７】
2013038773.tif 000009
【図８】
2013038773.tif 000010
【図９】
2013038773.tif 000011
【図１０】
2013038773.tif 000012
【図１１】
2013038773.tif 000013